(57)【要約】【課題】雪上の移動で歩行形態をとる時、移動中の状況で高所から低所への移動は、位置のエネルギーを有効に利用して滑降出来る場所もあるが、既存の雪上靴では滑走できないため、みすみす滑降という省労力と移動時間の短縮が出来ない。従来技術の雪上靴で、全行程を歩行のみで移動することは、労力と時間の潜在的浪費があり、雪上移動の効率面で課題がある。【解決手段】雪上靴と一体化した滑走板を備え、その滑走板の状態を移動、変化させる切替え機構によって、雪面に対し、滑走板の平滑面を有効化したり、逆に、無効化にしたりする。滑走板を切替える機構で、雪上靴に滑走機能を付加し、雪面の状況に合わせ、歩行用途と滑走用途を切替えて使用することにより、雪上の移動効率の向上を図る。【選択図】    図７
2008206744.tif 000002
【特許請求の範囲】
【請求項１】
滑走板を有し、滑走板を移動  並びに、変化させることで歩行用途と滑走用途の両機能を使分け可能な雪上靴。
【発明の詳細な説明】
【技術分野】
【０００１】
本発明は、雪面の移動手段として、より効率的な移動を可能とするための雪上靴に関するもの。
【背景技術】
【０００２】
従来の雪上靴の用法は歩行用途のみであり、滑走という機能は無い、逆に、滑走可能なスキー板は長すぎる事と、滑り止が不十分なことで利用場所の制約も多い。
従来の雪上靴なり、スキー板類では、自由な歩行と滑走の両機能を同一用具で可能とする技術は無い。
【発明の開示】
【発明が解決しようとする課題】
【０００３】
雪原なり雪山などにおいて、より自由な移動としては歩行による移動形態をとらざるを得ない、その歩行移動中においても高所から低所への移動は、位置のエネルギーを有効に利用して滑降出来る場所も多々あるが、従来の雪上靴では滑走出来ないため、みすみす滑降という省労力の機会を逃している。
全行程を歩行移動しなければならず、それ相当の労力と時間を必要し、滑走可能な場所を滑降した場合との相対的比較では非効率な移動形態になっている。
上りは歩行で登坂し、下りは効率良く滑降するという、両移動形態をとるためには、雪上靴とスキー板の両方を携帯せざるを得ず、装備上の大きな負担となっている。
上記の通り従来技術では、雪上靴のみ、又は、スキー板併用という、いずれの手段においても結果的には、労力の潜在的浪費があり、効率的移動とは言えない課題がある。
【課題を解決するための手段】
【０００４】
滑走板を有し、滑走板を移動  並びに、変化させる切替え機構によって歩行用途と滑走用途の両機能を使分け可能な雪上靴。
【発明の効果】
【０００５】
他の携帯装備を用いることなく、雪上靴の補助機能的に、滑走板の切替え操作で滑走用途に転用し、滑走可能な行程を滑走することで、全て歩行の場合に比べ、移動の労力と時間の効率向上が図られる。
【発明を実施するための最良の形態】
【０００６】
雪上靴の輪に相当する大きさ程度の滑走板を雪上靴に装備する。その滑走板の装着には、回転軸、連結棒などの機構を用いて、滑走板の滑走面を、開閉、回転、移動など、変化をさせて滑走面の滑走機能を有効化、又は、無効化させる構造。
滑走板に変化を与える切替え機構によって、歩行用途と、滑走用途を切替える構造。
【実施例１】
【０００７】
第１例、図面・1ページから3ページ（図１から図１０）に示す構造のもので、１：滑走板（外）と２：滑走板（内）の２枚を一足あたり（片足分）に設ける、その２枚の滑走板を５：枠組心棒（外）と６：枠組心棒（内）の回転軸２本を介して、３：枠組板（前）と４：枠組板（後）に固定する。
滑走板は回転軸で進行方向に対し左右方向に９０度の角度で可動する。
２枚の滑走板が左右に開き、両滑走面が雪面に対し垂直になる形状が歩行用途の状態であり、図１から図3の状態である。
これに対し、滑走板をそれぞれ内側へ９０度回転させ閉じることで、滑走面が同一平面を形成し雪面に接する形状に切替わる、これが滑走用途の状態であり、図４から図６の状態である。
図７は、滑走板の拡大断面図（D−D断面図）であり、中心線の左右で用途別状態を示している。
滑走板の用途別切替え（各々の９０度回転）の祭には、８：固定具の脱着でそれぞれの用途状態を固定する、図８から図１０は８：固定具の例をあらわしている。
以上の第１例の特徴は、滑走板の可動型（移動型）と言える。
【実施例２】
【０００８】
第２例、図面・４ページ（図１１から図１３）に示す構造のもので、
１ａ：滑走板（外）と２ａ：滑走板（内）の２枚を一足あたりに設けるなど、構造の骨子は実施例の第１例と同様であるが、（外）（内）２枚の滑走板の
接辺（中央分割線）を山形の歯型にすることで、別部品である９：滑り止（前）と１０：滑り止（後）の構成部品を用いずに滑り止機能を果すものである。第１例の滑走板可動型の応用例である。
【実施例３】
【０００９】
第３例、図面・５ページ（図１４から図１６）に示す構造のもので
１ｂ：滑走板は一足あたり１枚で、その滑走板の中央に長方形の穴を前後２箇所に設ける、その長方形穴を埋める形で、山形の歯型を持つ一対の滑り止部品があり、９ｂ：滑り止片（ア）と１０ｂ：滑り止片（イ）を前後
２箇所の穴にそれぞれ嵌め込んだ形のものである。
一対の滑り止片は５ｂ：回転心棒（外）と６ｂ：回転心棒（内）を介して
３ｂ：枠組板（前）と４ｂ：枠組板（後）で１ｂ：滑走板に組込まれている。（外）（内）それぞれの回転心棒は１１ｂ：切替ハンドルによって９０度回転し、９ｂ、１０ｂの滑り止片も一体で回転する。
滑り止片の９０度回転によって、山形歯形部分が、滑走面に対し同一平面上に格納され、全体的に平滑面が形成されて滑走用途の状態になったり、逆に、滑り止片の山形歯形部分を滑走面より突出させて歩行用途の状態になったり、両状態に切替えることが出来る構造のものである。
この第３例の特徴は一枚の滑走板で滑走面の一部変更型（変化型）である。
【産業上の利用可能性】
【００１０】
アウトドアースポーツで積雪地域における、スポーツ、ならびに、観光、レジャー産業で、ひとつの用具として利用できる。
【図面の簡単な説明】
【００１１】
【図１】第１例で歩行用途の状態を示した、平面図である。（注、図は右足用のみを示し、左足用は対象である。以下同様）
【図２】同上の状態を示した、側面図（Ａ−Ａ断面図）である。
【図３】同上の状態を示した、正面図（Ａ−Ｂ断面図）である。
【図４】第１例で滑走用途の状態を示した、平面図（Ｃ−Ｃ断面図）である。（注、図は明瞭化のため、靴締め具等の記入を省略。以下同様）
【図５】同上の状態を示した、側面図である。
【図６】同上の状態を示した、正面図（Ｄ−Ｄ断面図）である。
【図７】第１例で滑走用途と歩行用途の両状態を併記で示した、Ｄ−Ｄ断面図である。
【図８】第１例で構成部品、８：固定具を示した、平面図である。
【図９】同上の正面図である。
【図１０】同上の側面図である。
【図１１】第２例で滑走用途の状態を示した、平面図である。（注、図は明瞭化のため主構成品の滑走板のみを示し、詳細部品の記載を省略。以下同様）
【図１２】同上の状態を示した、側面図である。
【図１３】第２例で歩行用途の状態を示した、側面図である。
【図１４】第３例で滑走用途と歩行用途の両状態を併記で示した、Ｆ−Ｆ断面図である。（注、図は明瞭化のため、靴締め具等の記入を省略。以下同様）
【図１５】同上の両状態を併記で示した、平面図（Ｅ−Ｅ断面図）である。
【図１６】同上の両状態を併記で示した、側面図（Ｇ−Ｇ断面図）である。
【符号の説明】
【００１２】
１は、滑走板（外）
２は、滑走板（内）
３は、枠組板（前）
４は、枠組板（後）
５は、枠組心棒（外）
６は、枠組心棒（内）
７は、結合板（前後、計２箇所）
８は、固定具（前後、計２箇所）
９は、滑り止（前）
１０は、滑り止（後）
１ａは、滑走板（外）
２ａは、滑走板（内）
１ｂは、滑走板
３ｂは、枠組板（前）
４ｂは、枠組板（後）
５ｂは、回転心棒（外）
６ｂは、回転心棒（内）
９ｂは、滑り止片（ア）
１０ｂは、滑り止片（イ）
１１ｂは、切替ハンドル
【図１】
2008206744.tif 000003
【図２】
2008206744.tif 000004
【図３】
2008206744.tif 000005
【図４】
2008206744.tif 000006
【図５】
2008206744.tif 000007
【図６】
2008206744.tif 000008
【図７】
2008206744.tif 000009
【図８】
2008206744.tif 000010
【図９】
2008206744.tif 000011
【図１０】
2008206744.tif 000012
【図１１】
2008206744.tif 000013
【図１２】
2008206744.tif 000014
【図１３】
2008206744.tif 000015
【図１４】
2008206744.tif 000016
【図１５】
2008206744.tif 000017
【図１６】
2008206744.tif 000018